(57)【要約】【課題】個人情報を適切に管理することが可能な携帯電話機、および該携帯電話機を用いた情報伝達システムを提供する。【解決手段】携帯電話機Ａ１０において、各種情報を表示するための表示手段１１と、各種通信網に接続するための通信手段１３と、接写機能を有する撮像手段１５と、撮影した画像に含まれる情報内容を解析するための情報解析手段１２と、解析された情報に基づいて、情報別に所定のデータを分類して保存するための記憶手段１４と、記憶手段１４に保持されたデータを選択し、他の携帯電話機Ｂ２０の撮像手段２５で認識できるように情報を加工するための情報加工手段１６を備えるものとする。【選択図】　　　　　図１
2004040486.tif 000002
【特許請求の範囲】
【請求項１】
各種情報を表示するための表示手段と、
各種通信網に接続するための通信手段と、
接写機能を有する撮像手段と、
撮影した画像に含まれる情報内容を解析するための情報解析手段と、
解析された情報に基づいて、情報別に所定のデータを分類して保存するための記憶手段と、
前記記憶手段に保持されたデータを選択し、他の携帯電話機の撮像手段で認識できるように情報を加工するための情報加工手段とを備えたことを特徴とする携帯電話機。
【請求項２】
前記情報加工手段は、情報を加工する際の複製条件を設定するための複製条件加工手段を備え、
前記情報解析手段は、前記複製条件加工手段で加工された情報を解読するための複製条件解読手段を備えることを特徴とする請求項１記載の携帯電話機。
【請求項３】
前記複製条件加工手段における複製条件の段階を増加させるとともに、当該複製条件によって設定される付加情報を増加させ、
前記情報解析手段は、情報の持主と、携帯電話機の持主を判定するための持主判定手段を備えることを特徴とする請求項２記載の携帯電話機。
【請求項４】
データを加工して他の機器にデータを渡すとともに、情報の持主が情報の流れを把握するための照合番号管理手段を備え、
前記情報加工手段は、第三者に情報が流れた場合における情報元の携帯電話機に対する接続を行うための接続選択手段を備えることを特徴とする請求項３記載の携帯電話機。
【請求項５】
前記情報加工手段は、バックアップ処理手段を備えることを特徴とする請求項４記載の携帯電話機。
【請求項６】
請求項１乃至５のうちの何れか一項に記載の携帯電話機を複数用いて構成することを特徴とする情報伝達システム。
【請求項７】
請求項１乃至５のうちの何れか一項に記載の携帯電話機に接続するための通信手段と、
登録されているユーザーの情報を格納するための記憶手段と、
該記憶手段に記憶されている情報の中から必要な情報を抽出するための検索手段と、
登録されたユーザーが所望のアドレスを設定可能なアドレス発行手段と、
登録されている不要アドレスを消去可能なアドレス消去手段と、
前記記憶手段に記憶されているユーザー情報と前記アドレス発行手段により設定された任意のアドレスを管理するための情報管理手段を有する取次ぎセンターとを備えたことを特徴とする請求項６に記載の情報伝達システム。
【請求項８】
前記情報管理手段は、ユーザーが匿名で、前記取次ぎセンターを介して相手方と接続可能となるよう管理することを特徴とする請求項７記載の情報伝達システム。
【発明の詳細な説明】
【０００１】
【発明の属する技術分野】
本発明は、情報の伝達方法を改善した携帯電話機、および該携帯電話機を用いた情報伝達システムに関する。
【０００２】
【従来の技術】
従来、携帯電話機およびこれを用いた情報伝達システムが種々提案されている。例えば、特開２００１−２２２４８３号公報には、携帯電話機と情報端末における情報の転送方法に関する技術が開示されている。
【０００３】
すなわち、特開２００１−２２２４８３号公報に開示された技術は、携帯電話機のディスプレイ上に転送情報をコード表示し、このコード表示をコンピュータに内蔵したカメラにより映像として捉え、画像認識を行って転送情報に変換した後、ハードディスク記憶装置等に蓄積する。一方、携帯電話機は、内蔵カメラによりコンピュータのＬＣＤ上の受信確認表示を撮像して画像認識を行う。これにより、携帯電話機内に格納されたユーザー情報等を非接触でコンピュータに転送することができ、携帯電話機側も、画像認識を行うことによりコンピュータに対する情報転送を確認することができるとされている。
【０００４】
しかしながら、上述した方法は、携帯電話機とコンピュータの間における情報転送を行うものであり、携帯電話機同士の間における情報転送の場合には対応することができないという問題がある。
また、情報転送を管理するための手段がないため、情報が自由に伝達されてしまい、自己の管理外に情報が伝達されるおそれがある。
【０００５】
【発明が解決しようとする課題】
従来、携帯電話機同士の間における情報の交換は、メール、無線、有線を用いた伝達が主だった方法であり、最近では、迷惑メールの氾濫が問題となり、その防護策として、故意にメールアドレスを長く設定する人が多い。このため、メールアドレスを口頭で伝達したのでは間違いやすく面倒である。
また、携帯電話機に備わったキーを用いた入力は操作性に限度があるため、メールアドレスを入力する際に間違いやすく、入力操作が面倒である。
【０００６】
これらの面倒な操作を避けるために、携帯電話機のメール機能を使って、インターネットを介してメールアドレスや電話番号を自己のパソコンに送信したり、パソコンに友人のメールを送信してもらい、そのメールを携帯電話機に転送するという方法もあるが、この方法も煩雑な操作が必要である。
【０００７】
また、情報を加工する場合に、その端末（携帯電話機Ａ）の持主ａさんが相手ｂさん（携帯電話機Ｂ）に伝えたい情報を加工し、携帯電話機Ｂの情報として記憶手段に保存した後、ｂさんが別の人ｃさんに対してａさんの情報を加工して転送すること、すなわち、持主以外の情報を簡単に転送することは、個人のプライバシーやモラルの点で問題がある。
【０００８】
また、個人の情報が本人の管理を離れて流通し始めると、人間は不安感や苛立ちを感じ、誰が情報を流したのかを知りたがる傾向にある。
【０００９】
本発明は、上述した従来の問題点に鑑み提案されたもので、個人情報を適切に管理することが可能な携帯電話機、および該携帯電話機を用いた情報伝達システムを提供することを目的とする。
【００１０】
【課題を解決するための手段】
本発明に係る携帯電話機、および該携帯電話機を用いた情報伝達システムは、上述した目的を達成するため、以下の特徴点を備えている。
すなわち、本発明に係る携帯電話機は、各種情報を表示するための表示手段と、各種通信網に接続するための通信手段と、接写機能を有する撮像手段と、撮影した画像に含まれる情報内容を解析するための情報解析手段と、解析された情報に基づいて、情報別に所定のデータを分類して保存するための記憶手段と、前記記憶手段に保持されたデータを選択し、他の携帯電話機の撮像手段で認識できるように情報を加工するための情報加工手段とを備えたことを特徴とするものである。
【００１１】
また、前記携帯電話機において、前記情報加工手段は、情報を加工する際の複製条件を設定するための複製条件加工手段を備え、前記情報解析手段は、前記複製条件加工手段で加工された情報を解読するための複製条件解読手段を備えるように構成することが可能である。
【００１２】
また、前記携帯電話機において、前記複製条件加工手段における複製条件の段階を増加させるとともに、当該複製条件によって設定される付加情報を増加させ、前記情報解析手段は、情報の持主と、携帯電話機の持主を判定するための持主判定手段を備えるように構成することが可能である。
【００１３】
また、前記携帯電話機において、データを加工して他の機器にデータを渡すとともに、情報の持主が情報の流れを把握するための照合番号管理手段を備え、前記情報加工手段は、第三者に情報が流れた場合における情報元の携帯電話機に対する接続を行うための接続選択手段を備えるように構成することが可能である。
【００１４】
また、前記携帯電話機において、前記情報加工手段は、バックアップ処理手段を備えるように構成することが可能である。
【００１５】
本発明に係る情報伝達システムは、前記何れかの携帯電話機を複数用いて構成することを特徴とするものである。
【００１６】
また、前記情報伝達システムにおいて、前記何れかの携帯電話機に接続するための通信手段と、登録されているユーザーの情報を格納するための記憶手段と、該記憶手段に記憶されている情報の中から必要な情報を抽出するための検索手段と、登録されたユーザーが所望のアドレスを設定可能なアドレス発行手段と、登録されている不要アドレスを消去可能なアドレス消去手段と、前記記憶手段に記憶されているユーザー情報と前記アドレス発行手段により設定された任意のアドレスを管理するための情報管理手段を有する取次ぎセンターとを備えて構成することが可能である。
【００１７】
また、前記情報伝達システムにおいて、前記情報管理手段は、ユーザーが匿名で、前記取次ぎセンターを介して相手方と接続可能となるよう管理することが可能である。
【００１８】
【発明の実施の形態】
以下、図１〜図１６に示す具体的な実施例に基づいて、本発明に係る携帯電話機、および該携帯電話機を用いた情報伝達システムの実施形態を説明する。
図１は本発明の実施例１に係る携帯電話機、および該携帯電話機を利用した情報伝達システムの構成を示すブロック図、図６は実施例１における情報交換の手順を示すフローチャート、図１３は実施例１に係る携帯電話機に保存されている個人情報の模式図である。
【００１９】
実施例１は、図１に示すように、携帯電話機Ａ１０およびＢ２０に、それぞれ表示手段１１，２１、通信手段１３，２３、接写機能を有する撮像手段１５，２５、撮影した画像に含まれる図形が示す情報内容を解析するための情報解析手段１２，２２、解析された情報に基づいて、情報別に所定のデータを分類して保存するための記憶手段１４，２４、記憶手段１４，２４に保持されたデータを選択し、他の携帯電話機Ｂ２０，Ａ１０の撮像手段２５，１５で認識できるように情報を加工するための情報加工手段１６，２６をそれぞれ備えたものである。
【００２０】
次に、実施例１による個人情報の交換について、携帯電話機Ａ１０および携帯電話機Ｂ２０を用いて個人情報を交換する場合を例にとって図面を参照して説明する。
図６は実施例１における情報交換の手順の一例を示すフローチャート、図１３は携帯電話機Ａ１０または携帯電話機Ｂ２０の記憶手段１４，２４に保存されている個人情報を示す模式図である。なお、図１３において、Ｘ３、Ｘ４の欄は空白となっているが、図の構成上わかり易く表現したものであって、何かデータが入っていることを表したものではない。
【００２１】
携帯電話機Ａ１０および携帯電話機Ｂ２０を用いて情報交換を行うには、図６に示すように、まず、携帯電話機Ａ１０において、記憶手段１４に記憶された情報を表示手段１１に表示し（Ｓ１）、情報加工手段１６により二次元バーコードに変換し（Ｓ２）、加工した図を表示手段１１に表示する（Ｓ３）。
【００２２】
一方、携帯電話機Ｂ２０は、携帯電話機Ａ１０の表示手段１１に表示されている図を撮像手段２５で撮影し（Ｓ４）、情報解析手段２２により、その内容を解析して（Ｓ５）、表示手段２１に表示する（Ｓ６）。そして、携帯電話機Ｂ２０に表示された情報に基づいて、情報別にデータを分類して記憶手段２４に保存する（Ｓ７）。
以上の手順によって、携帯電話機Ａ１０から携帯電話機Ｂ２０に対して、簡単に情報の送受信を行うことができる。
【００２３】
尚、実施例１では、個人情報の交換を行う場合を例にとって説明したが、個人情報だけではなく、例えば、Ｗｅｂから入手したデータやメール等で取得した情報も上述した手順により伝達することができる。
【００２４】
次に、実施例２として、携帯電話機Ａ１０，Ｂ２０の情報加工手段１６，２６によりデータを加工する際に、個人情報が第三者に複製されることを制御する場合について図面を参照して説明する。
図２は本発明の実施例２に係る携帯電話機、および該携帯電話機を利用した情報伝達システムの構成を示すブロック図、図７は実施例２における情報交換の手順を示すフローチャート、図１４は実施例２に係る携帯電話機に保存されている個人情報の模式図である。
【００２５】
実施例２は、図１４に示すように、複製条件Ｘ６，Ｘ７を付加するとともに、図１に示す情報解析手段１２，２２に対して複製条件解読手段３３，４３，５３を付加することにより、個人情報が第三者に複製されることを制御するようにされている。
【００２６】
なお、図２における図中の符号３０および４０は、それぞれ携帯電話機ＡおよびＢを示す。また、情報解析手段３２，４２は、それぞれ複製条件解読手段３３，４３を有するとともに、情報加工手段３６，４６に対して複製条件３８，４８（図１４参照）が加えられている。
【００２７】
また、符号５０は携帯電話機Ｃであり、前記携帯電話機Ａ３０およびＢ４０と同様に、複製条件解読手段５３を有した情報解析手段５２、表示手段５１、通信手段５４、撮像手段５５、記憶手段５６、および図１４に示すような複製条件５８が加えられた情報加工手段５７を備えている。
【００２８】
ここで、複製条件について説明する。
複製条件には、図１４に示すように、段階がある。
すなわち、「複製不可」（Ｘ６，Ｙ１）の場合は、相手端末（携帯電話機）に渡されたデータは、当該相手端末では正しく解析されるが、当該相手端末の情報加工手段５７で加工することはできない。
【００２９】
また、「複製許可」（Ｘ７，Ｙ１）の場合は、相手端末で得たデータを情報加工手段で加工して、第三者の誰に渡してもよい。
【００３０】
次に、実施例２において、複製条件（Ｘ６，Ｙ１）および（Ｘ７，Ｙ１）を付加してデータを加工し、携帯電話機Ａ３０から携帯電話機Ｂ４０に対してデータを移す場合の手順について説明する。
【００３１】
複製条件を付加してデータを加工するには、図７に示すように、携帯電話機Ａ３０において加工したいデータを記憶手段１４から選択し（Ｓ１１）、加工したいデータの複製条件３８を選択し（Ｓ１２）、情報加工手段３６により二次元バーコードに変換し（Ｓ１３）、変換された図を携帯電話機Ａ３０の表示手段１１に表示する（Ｓ１４）。
【００３２】
そして、携帯電話機Ｂ４０の撮像手段２５により携帯電話機Ａ３０の表示手段１１を撮影し（Ｓ１５）、情報解析手段４２により図の情報内容を解析する（Ｓ１６）。続いて、情報解析手段４２の複製条件解読手段４３により、携帯電話機Ａ３０において設定された複製条件３８を解読し（Ｓ１７）、携帯電話機Ｂ４０の表示手段２１に表示するとともに（Ｓ１８）、情報別に分類して記憶手段２４に保存する（Ｓ１９）。
【００３３】
実施例２によれば、情報加工手段３６により付加された複製条件３８を読むことはできるが、携帯電話機Ｂ４０において、携帯電話機Ａ３０で設定された複製条件３８は表示手段２１に表示されることはなく、変更されることもない。このため、携帯電話機Ｂ４０に存在する携帯電話機Ａ３０の情報を、上述した方法により携帯電話機Ｃ５０に移そうとした場合であっても、この複製条件３８は変更されることがない。
したがって、複製不可（Ｘ６）の場合には、携帯電話機Ｂ４０の情報加工手段４６において、データを加工することができない。
【００３４】
一方、複製許可（Ｘ７）の場合には、情報加工手段４６においてデータを加工することができ、携帯電話機Ｃ５０に情報を移すことができる。
上述したように、情報毎に複製条件を設定することで、必要以上の個人情報が流出するのを防ぐことができる。
【００３５】
次に、実施例３として、利便性やセキュリティ性に柔軟に対応できるようにした場合について図面を参照して説明する。
図３は本発明の実施例３に係る携帯電話機、および該携帯電話機を利用した情報伝達システムの構成を示すブロック図、図８は実施例３における情報交換の手順を示すフローチャート、図１５は実施例３に係る携帯電話機に保存されている個人情報の模式図である。
【００３６】
実施例３は、複製条件（図１５におけるＸ６，Ｘ７，Ｘ８，Ｘ９）を細かく設定し、図３に示すように、携帯電話機Ａ６０、携帯電話機Ｂ７０、携帯電話機Ｃ８０のそれぞれの情報加工手段６６，７６，５７に対して、接続選択手段３９，４９，５９と、持主判定手段１３０，１３１，１３２を付加して、利便性やセキュリティ性に柔軟に対応するようにされている。
【００３７】
実施例３では、図１５に示すように、「複製応相談」（Ｘ８）の場合は、データが相手端末（携帯電話機）で解析された後、そのデータを加工するために情報元の承認が必要である。また、「複製取次」（Ｘ９）の場合は、後述するサーバを介した接続を行う。これにより、さらに個人情報の無制限な流出を防止することができる。
【００３８】
ここで、実施例３において、複製条件の「複製応相談」（Ｘ８）を指定した携帯電話機Ａ６０のデータが、二次元コードに変換されるまでの手順について説明する。なお、図１５に示すデータは、携帯電話機Ａ６０の持主の個人情報を表にしたものである。
【００３９】
携帯電話機Ａ６０のデータを二次元コードに変換するには、図８に示すように、携帯電話機Ａ６０において加工したいデータを記憶手段１４から選択し（Ｓ３１）、加工したいデータの複製条件３８を「複製応相談」（図１５（Ｘ８：Ｙ４）参照）と指定する（Ｓ３２）。
【００４０】
続いて、接続選択手段３９の相談接続情報と、対象となっている情報を示すアドレス（Ｘ５：Ｙ４）を設定し（Ｓ３３）、情報加工手段６６により二次元バーコードに変換し（Ｓ３４）、携帯電話機Ａ６０の表示手段１１に表示する（Ｓ３５）。
【００４１】
そして、携帯電話機Ｂ７０の撮像手段２５により、携帯電話機Ａ６０の表示手段１１に表示されている二次元バーコードを撮影し（Ｓ３６）、情報解析手段７２により画像を解析する（Ｓ３７）。
【００４２】
続いて、複製条件解読手段４３により複製条件を解読し（Ｓ３８）、解析された情報を、携帯電話機Ｂ７０の表示手段２１に表示する（Ｓ３９）。
そして、携帯電話機Ｂ７０の持主は、必要に応じて解析された情報を記憶手段２４に保存する（Ｓ４０）。
【００４３】
この時、携帯電話機Ａ６０で設定された複製条件（図１５（Ｘ８：Ｙ４）参照）が示される。
この付加情報は、携帯電話機のユーザーには見えない情報で、携帯電話機Ａ６０から他の機器に情報が移され、さらに別の端末に移された際、すなわち、第三者への複製の場合に必要とされる情報で、情報主ではないユーザーは、この付加情報を変更、編集、加工することはできない。
【００４４】
また、相談接続情報とは、携帯電話機Ａ６０に接続するための電話番号や端末が固有に持つ端末ＩＤのことである。
この相談接続情報は、第三者が加工することも見ることもできないが、携帯電話機Ａ６０に接続する手段を携帯電話機Ａ６０が保持している。
【００４５】
第三者に対する複製か否かは、持主フラグ（図１４，図１５，図１６参照）におけるＸ３の値が、２以上になったか否かで判断される。
持主フラグは、情報加工手段６６、７６、５７で情報が加工される際に、加工される情報の情報元であるＸ４の値と、操作されている携帯電話機の持主情報を比較する持主判定手段１３０，１３１，１３２によって判定される。
【００４６】
ここで、持主のデータである場合には、持主フラグを「０」に設定し、持主のデータでない場合には、持主フラグに「１」を加算する。このように、持主フラグの値を新たに設定することで、複製の回数を指定することができる。
【００４７】
次に、実施例４として、上述した実施例３と同様の機能をもつ携帯電話機Ｃ８０に対して、携帯電話機Ｂ７０が保有する携帯電話機Ａ６０から取得した情報を渡そうとした場合について図面を参照して説明する。
図３は実施例３と同様に実施例４に係る携帯電話機、および該携帯電話機を利用した情報伝達システムの構成を示すブロック図、図９は実施例４における情報交換の手順を示すフローチャート、図１５は実施例３と同様に実施例４に係る携帯電話機に保存されている個人情報の模式図である。
実施例４においては、携帯電話機Ｂ７０の持主の個人情報は、図１５に示すようになっている。
【００４８】
携帯電話機Ｃ８０に対して携帯電話機Ｂ７０が保有する携帯電話機Ａ６０から取得した情報を渡す場合には、図９に示すように、携帯電話機Ｂ７０の記憶手段２４から、二次元バーコードに変換したい携帯電話機Ａ６０の情報（図１５（Ｘ２：Ｙ２−７）参照）を選択し（Ｓ５０）、情報加工手段７６により二次元バーコードに変換し（Ｓ５１）、複製条件解読手段４３により情報を順番に検査する（Ｓ５２）。
【００４９】
以下、理解を容易にするため、図１５における（Ｘ５：Ｙ４）の複製条件を検査する場合について説明する。
すなわち、「複製応相談」と判定されると、携帯電話機Ｂ７０の付加情報（図１５（Ｘ１０：Ｙ４）参照）を、接続選択手段４９と対象の情報（図１５（Ｘ５：Ｙ４）参照）を表すアドレスデータとして、図１６に示す（Ｘ５：Ｙ４）に移す（Ｓ５３）。
【００５０】
続いて、携帯電話機Ａ６０を照合するために、照合番号管理手段１２１が発行する照合番号を加え、情報加工手段７６により図１６に示す情報を二次元バーコードに変換し（Ｓ５４）、携帯電話機Ｂ７０の表示手段２１に表示する（Ｓ５５）。
【００５１】
そして、携帯電話機Ｃ８０の撮像手段５５により、携帯電話機Ｂ７０の表示手段２１を撮影する（Ｓ５７）。一方、携帯電話機Ｂ７０は、照合番号管理手段１２１が発行した照合番号を、通信手段５４を介して携帯電話機Ａ６０に送信する（Ｓ５６）。
【００５２】
携帯電話機Ｃ８０は、情報解析手段８２でデータを解析し（Ｓ５８）、接続選択手段５９を用いて携帯電話機Ａ６０へ接続する（Ｓ５９）。続いて、通信手段５４により、情報解析手段８２で解析されたデータの照合番号を携帯電話機Ａ６０へ通知する（Ｓ６０）。
【００５３】
そして、携帯電話機Ａ６０は、携帯電話機Ｂ７０とＣ８０が送信した照合番号を判定し（Ｓ６１）、照合番号判定が正しければ、携帯電話機Ｂ７０から情報が流れたことを携帯電話機Ａ６０の持主は知ることができる。
【００５４】
また、携帯電話機Ｃ８０は、データの開示を要求する（Ｓ６２）。そして、上記処理の結果、携帯電話機Ａ６０の持主は、データの開示、不開示を選択し、携帯電話機Ｃ８０に回答する（Ｓ６３）。
【００５５】
ここで、回答が開示の場合には、携帯電話機Ａ６０の対象となっている情報（図１５（Ｘ５：Ｙ４）参照）を表すアドレスから情報を抽出して送信することにより（Ｓ６４）、携帯電話機Ｃ８０が携帯電話機Ａ６０の情報を取得することができる。
【００５６】
一方、回答が不開示の場合には、携帯電話機Ｃ８０における携帯電話機Ａ６０の情報を削除するコマンドを発行する（Ｓ６５）。そして、携帯電話機Ｃ８０が情報を受け取り、コマンドを実行する（Ｓ６６）。
【００５７】
次に、実施例５として、複製条件が「複製取次」の場合について図面を参照して説明する。
図４は本発明の実施例５に係る携帯電話機、および該携帯電話機を利用した情報伝達システムの構成を示すブロック図、図１０は実施例５における情報交換の手順を示すフローチャートである。
【００５８】
実施例５に係る情報伝達システムは、図４に示すように、携帯電話機６０，７０，８０と取次ぎセンター９０により構成される。
前記携帯電話機６０，７０，８０のユーザーは、取次ぎセンター９０に設置されたサーバを経由して、他のユーザーとコミュニケーションをとることができる。
【００５９】
ところで、チャットや出会い系サイト等のように相手の素性が解らない場合のコミュニケーションの場合には、なかなか本当の個人情報を明かしたくないのが実情である。この点、本実施形態に係る情報伝達システムでは、取次ぎセンター９０を介して接続することにより、この問題を解決している。なお、サービスを受けたいユーザーは、取次ぎセンター９０に自分の情報を予め登録しておく必要がある。
【００６０】
実施例５に係る情報伝達システムの取次ぎセンター９０は、通信手段９２、記憶手段９６、検索手段９５、情報管理手段９１、アドレス発行手段９３、およびアドレス消去手段９４を備えて構成されている。
【００６１】
前記通信手段９２は、携帯電話機とあらゆる手段で接続することができる。すなわち、通常の音声による会話以外に、例えば、チャットに代表される文字通信、メール、掲示板画像と音声のリアルタイム通信等を行うことができる。
【００６２】
前記記憶手段９６には、取次ぎセンター９０に登録されているユーザー情報が記憶されている。前記検索手段９５は、記憶手段９６にあるユーザーの中から、特定のユーザーを抽出するものである。前記情報管理手段９１は、取次ぎセンター９０に記憶されたユーザー情報と、取次ぎセンター９０において設定可能な任意のユーザーアドレスを管理するものである。
【００６３】
前記アドレス発行手段９３は、取次ぎセンター９０におけるユーザーアドレスを発行するための手段で、ユーザーは自由に自分の好きなアドレスを設定することができる。
前記アドレス消去手段９４は、何らかの問題で不要となったユーザーアドレスを消去するものである。
【００６４】
次に、実施例５に係る情報伝達システムにおける処理の手順を図面を参照して説明する。
なお、図１０に示す処理の手順の一部（Ｓ７０〜Ｓ７９）は、図９に示す処理の手順の一部（Ｓ５０〜Ｓ５６）と同様であるため説明を省略し、ステップ８０（Ｓ８０）以降の処理についてのみ説明する。
【００６５】
携帯電話機Ｃ８０は、情報解析手段８２により撮影した図の内容を解析し（Ｓ８０）、解読結果に基づいて取次ぎセンター９０に接続し（Ｓ８１）、携帯電話機Ａ６０を表す参照番号を送信する（Ｓ８２）。
前記取次センター９０では、検索手段９５により、参照番号から接続先を抽出し（Ｓ８８）、携帯電話機Ａ６０にアクセスする手段を判定して（Ｓ９５）、携帯電話機Ａ６０に接続する（Ｓ８９）。
前記携帯電話機Ａ６０では、接続を許可するか否かを判定して（Ｓ９１）、回答を取次ぎセンター９０に送信する（Ｓ９２）。
【００６６】
ここで、不接続と判定した場合には、携帯電話機Ｃ８０からの情報を受付け、記憶手段９６に保存する（Ｓ９３）。一方、接続と判定した場合には、取次ぎセンター９０を介して携帯電話機Ｃと接続する（Ｓ９２，Ｓ８３，Ｓ９４）。
【００６７】
次に、実施例６として、携帯電話機に記憶された情報のバックアップについて図面を参照して説明する。
携帯電話機は、携帯されるものであり、持主個人の情報源となっている。このため、携帯電話機の記憶手段にあるデータは、非常に大切なものとなっている。
しかしながら、現状では、操作の煩わしさ等から、携帯電話機に記憶されたデータのバックアップが殆ど行われていない。この点、本実施形態に係る携帯電話機では、容易にバックアップを行うことができる。
【００６８】
図５は実施例６に係る携帯電話機の構成を示すブロック図、図１１は実施例６における情報をバックアップする手順を示すフローチャート、図１２は実施例６におけるバックアップしたデータの情報交換の手順を示すフローチャートである。
【００６９】
実施例６では、図５，図１１，および図１２を参照して、本実施例に係る携帯電話機に記憶された情報のバックアップの手順について説明する。なお、図５に示す携帯電話機Ａ１４０は、図３に示す携帯電話機Ａ６０とほぼ同様の構成となっているが、情報加工手段１４２に対してバックアップ処理手段１４１が付加されている点が異なっている。
【００７０】
携帯電話機Ａ１４０の記憶手段１４に記憶された情報をバックアップするには、図１１に示すように、まずバックアップ処理手段１４１を呼び出し（Ｓ１０１）、バックアップを行う情報の種類を選択する（Ｓ１０２）。ここで、情報の種類とは、アドレス帳に記載されたデータ（名前、電話番号、メールアドレス）、メール送受信記録簿、お気に入りのＵＲＬ、写真に代表される画像データ、動画データ等のデータであり、情報の種類を示すものである。なお、各データは、種類毎に分割することはできるが、部分的に情報を抽出するようなバックアップはできない。
【００７１】
続いて、情報種類のコード化を許可するために、携帯電話機の固有番号と持主の暗証番号を入力し（Ｓ１０３）、当該情報を二次元バーコード化し（Ｓ１０４）、図化（二次元バーコード化）されたデータを、プリントアウトできる機器（例えば、プリンタやｆａｘ）に送信して出力する（Ｓ１０５）。そして、紙に印刷して保存したり、ＰＣやメモリーカード（例えば、メモリースティック、ＳＤカード）に保存したり、インターネット上に存在するデータ保存サーバに保存したりする。
【００７２】
次に、出力された二次元バーコードを元の端末に戻す場合を説明する。
出力された二次元バーコードを元の端末に戻すには、図１２に示すように、まず、撮像手段１５により二次元バーコードを読取り（Ｓ１１０）、情報解析手段４２によりデータを解読する（Ｓ１１１）。
【００７３】
続いて、データ内に含まれる携帯電話機の固有番号が正しいか否かを判定するとともに（Ｓ１１２）、入力された暗証番号が正しいか否かを判定する（Ｓ１１３）。ここで、固有番号あるいは暗証番号のいずれか１つでも正しくないと判定された場合には、データの解読を中止する（Ｓ１１３）。一方、固有番号および暗証番号の双方とも正しいと判定された場合には、データの解読が行われる（Ｓ１１５）。
【００７４】
このように、実施例６によれば、個人情報を二次元バーコードの状態で保存することにより、他人が一見的に内容を把握することができないようになる。
さらに、暗証番号を付加することにより、万が一、データが保存された媒体を不用意に落としてしまった場合であっても、他人が簡単に個人情報を解析することができないので、情報を安全に保護することができる。
【００７５】
【発明の効果】
以上、説明したように本発明の請求項１〜８に記載の携帯電話機、および該携帯電話機を用いた情報伝達システムによれば、以下の効果を奏することができる。すなわち、本発明に係る携帯電話機、および該携帯電話機を用いた情報伝達システムによれば、情報を図化した画像を携帯電話機に表示し、他の携帯電話機により当該画像を撮像して解析することにより、複数の携帯電話機間で容易に情報を交換することができる。
【００７６】
また、本発明によれば、記憶手段に保持されたデータを選択し、他の携帯電話機の撮像手段で認識できるように情報を加工するための情報加工手段に対して複製条件を付加することにより、第三者への情報の流出を制御することができる。
また、本発明によれば、複製条件をさらに細かく設定し、情報解析手段に対して持主判定手段を付加するとともに、情報加工手段に対して接続選択手段を付加することにより、柔軟に第三者への情報流出を制御することができる。
【００７７】
また、本発明によれば、情報の持主が、その情報の複製条件を決定し、さらに付加情報も規定することができるが、別の端末に情報が移動した場合であっても、情報の持主以外は複製条件および付加情報を変更することができないため、不用意に情報が流出するのを防止することができる。
また、本発明によれば、情報が何処から流れたのかを情報主が知ることができるので、第三者に情報が流れた場合であっても、情報の流通経路に不信感を抱く必要がない。
【００７８】
また、本発明によれば、取次ぎセンターを介して相手と通信を行うことができるので、例えば、匿名で相手と会話を行ったり、メールを送信したり、チャット掲示板に対する書き込み等を行うことができる。
さらに、本発明によれば、携帯電話機の情報を紙媒体等に保存してバックアップを行うことができる。
【図面の簡単な説明】
【図１】本発明の実施例１に係る携帯電話機、および該携帯電話機を利用した情報伝達システムの構成を示すブロック図である。
【図２】本発明の実施例２に係る携帯電話機、および該携帯電話機を利用した情報伝達システムの構成を示すブロック図である。
【図３】本発明の実施例３および実施例４に係る携帯電話機、および該携帯電話機を利用した情報伝達システムの構成を示すブロック図である。
【図４】本発明の実施例５に係る携帯電話機、および該携帯電話機を利用した情報伝達システムの構成を示すブロック図である。
【図５】実施例６に係る携帯電話機の構成を示すブロック図である。
【図６】実施例１における情報交換の手順を示すフローチャートである。
【図７】実施例２における情報交換の手順を示すフローチャートである。
【図８】実施例３における情報交換の手順を示すフローチャートである。
【図９】実施例４における情報交換の手順を示すフローチャートである。
【図１０】実施例５における情報交換の手順を示すフローチャートである。
【図１１】実施例６における情報をバックアップする手順を示すフローチャートである。
【図１２】実施例６におけるバックアップしたデータの情報交換の手順を示すフローチャートである。
【図１３】実施例１に係る携帯電話機に保存されている個人情報の模式図である。
【図１４】実施例２に係る携帯電話機に保存されている個人情報の模式図である。
【図１５】実施例３および実施例４に係る携帯電話機に保存されている個人情報の模式図である。
【図１６】図１５の情報をデータ変換した状態の個人情報の模式図である。
【符号の説明】
１０、３０、６０、１４０　携帯電話機Ａ
１１、２１、５１　表示手段
１２、２２、３２、４２、５２、６２、７２、８２　情報解析手段
１３、２３、５４、９２、１１３　通信手段
１４、２４、５６、９６　記憶手段
１５、２５、５５、１１５　撮像手段
１６、２６、３６、４６、５７、６６、７６、１４２　情報加工手段
２０、４０、７０　携帯電話機Ｂ
３３、４３、５３　複製条件解読手段
３８、４８、５８　複製条件
３９、４９、５９　接続選択手段
５０、８０　携帯電話機Ｃ
６１、８１、１３０、１３１、１３２　持主判定手段
９０　取次ぎセンター
９１　情報管理手段
９３　アドレス発行手段
９４　アドレス消去手段
９５　検索手段
１２０、１２１、１２２　照合番号管理手段
１４１　バックアップ処理手段
【図１】
2004040486.tif 000003
【図２】
2004040486.tif 000004
【図３】
2004040486.tif 000005
【図４】
2004040486.tif 000006
【図５】
2004040486.tif 000007
【図６】
2004040486.tif 000008
【図７】
2004040486.tif 000009
【図８】
2004040486.tif 000010
【図９】
2004040486.tif 000011
【図１０】
2004040486.tif 000012
【図１１】
2004040486.tif 000013
【図１２】
2004040486.tif 000014
【図１３】
2004040486.tif 000015
【図１４】
2004040486.tif 000016
【図１５】
2004040486.tif 000017
【図１６】
2004040486.tif 000018